(57)【要約】【課題】本発明は、一次送り用主幹ブレーカを用いてもケース体を大形化することがないとともに、汎用性を向上することができる分電盤を提供する。【解決手段】本実施形態によれば、一次送り主幹ブレーカ７を一次送り導電バー群９の一方の一次送り分岐ブレーカ配置部９７に接続配置し、かつ、主幹ブレーカ一４の一次側端子部４２と配線４４、４４、４４を介して接続されているので、シャーシ１を必要以上に大形化しなくても一次送り用主幹ブレーカ７を設けることができる。【選択図】図４
2005110433.tif 000002
【特許請求の範囲】
【請求項１】
ケース本体と；
長手方向に対して垂直な方向に複数の分岐ブレーカ接続部が設けられた複数の導電バーからなり、ケース本体に設けられる導電バー群と；
導電バー群の一方の端部に接続されたケース本体に設けられる主幹ブレーカと；
導電バー群の分岐ブレーカ接続部の側方に配置されて接続された複数の分岐ブレーカと；
長手方向に対して垂直な方向に複数の一次送り分岐ブレーカ配置部を具備し、導電バー群の他方の端部と対向するようにケース本体に設けられている一次送り導電バー群と；
一次送り分岐ブレーカ配置部へ設けられる少なくとも３個以上の一次送り分岐ブレーカと；
一次送り分岐ブレーカの器体よりも大きい器体からなり、かつ、一次送り導電バー郡の一方の一次送り分岐ブレーカ配置部に接続配置されるとともに、主幹ブレーカの一時側とも接続される一次送り用主幹ブレーカと；
を具備していることを特徴とする分電盤。
【発明の詳細な説明】
【技術分野】
【０００１】
本発明は、一次送り分岐ブレーカを使用する分電盤に関する。
【背景技術】
【０００２】
従来、単相３線式の分電盤では、例えば、１枚の中性極用の導電バーと２枚の電圧極用の導電バーとを用い、これら３枚の導電バーを互いに離間して重ねた状態に配置し、さらに、各導電バーの一端には主幹ブレーカと接続するための各接続バーを各ねじでそれぞれ取り付け、導電バーにはこの導電バーの両側に沿って並設される複数の分岐ブレーカを電気的に接続しているものが知られている。
【０００３】
また、自動火災報知器や非常用のインターホンなどの設備を備える場合、それら設備に対して主幹ブレーカを通さずに主幹ブレーカの一次側から配線するための一次送り回路および一次送り導電バー群を備え、その一次送り導電バー群へ一次送り分岐ブレーカを設ける分電盤が用いられる場合がある。
【０００４】
このような構造に関して、出願人は上記した導電バー構造を有し、かつ、分電盤内の空きスペースを有効に利用して一次送り回路を設け得るのに好適な構造を既に出願している（特許文献１参照）。
【０００５】
このような一次送り分岐ブレーカを有する分電盤において、例えば３個以上の一次送り分岐ブレーカを設ける場合には一次送り用主幹ブレーカが用いられる場合がある。
【０００６】
すなわち、上記３枚の一次送り導電バーには夫々許容電流があり、その許容電流を超えた電流が導電バーに流れることは導電バーないし分電盤を保護できなる虞があるので、許容電流を超えた場合には電流を遮断することが必要となる。
【０００７】
このような条件において、一次送り導電バー郡に一次送り分岐ブレーカを２個設ける場合には、１枚の中性極用導電バーと一方の電圧極バーに１個、および、１枚の中性極用導電バーと他方の電圧極バーに１個設ければよい。したがって、このような場合、各電圧極バーには各一次送り分岐ブレーカを介してそれぞれの負荷電流が流れるだけになるので、各導電バーには許容電流以上の電流が流れる可能性は殆どなく、各分岐ブレーカの定格容量のみで対応可能である。
【０００８】
しかしながら、一次送り分岐ブレーカを３個以上設けるとなると、少なくとも一方の電圧極バーには２個以上の一次送り分岐ブレーカが設けられることになるので、複数の一次送り分岐ブレーカが設けられた導電バーには接続されている負荷に応じた分の負荷電流が流れることになる。そうすると、例えば、一方の導電バー一本の許容電流が３０Ａであった場合に一次送りされた一つの負荷が１８Ａであって、同相（一方の導電バー）の横並びの負荷も１８Ａ流れるとすると、一つの導電バーには３０A以上流れることになり、導電バーの許容電流を超えてしまうことになる。したがって、通常、分岐ブレーカの定格容量は、導電バーの許容電流よりも小さいので、このような場合には一次送り分岐ブレーカより定格容量が大きい一次送り用主幹ブレーカを設けることで、許容電流以上の電流が使われた場合には一次送り主幹ブレーカで遮断して、導電バーの保護を行うものである。
【０００９】
このように一次送り用主幹ブレーカを設ける一例の構成を図６に示す。
【００１０】
分電盤１０’は、ケース本体であるシャーシ１、カバー２、主幹ブレーカ４、１０個の分岐ブレーカ５、４個の一次送り分岐ブレーカ６及び一次送り用主幹ブレーカ７’等で構成されている。
【００１１】
シャーシ１およびカバー２には、主幹ブレーカ４、分岐ブレーカ５、一次送り分岐ブレーカ６およびリミッターが設けられる主幹ブレーカ用スペース１Ａ、分岐／一次送り分岐ブレーカ用スペース１Ｂ、リミッター用スペース１Ｃが設けられている。そして、分岐／一次送り分岐ブレーカ用スペース１Ｂの一方側にはフリースペース１Ｄが設けられており、このフリースペース１Ｄに一次送り用主幹ブレーカ７が設けられている。
【特許文献１】特願２００２−２８５４４４号（第３、４図等）
【発明の開示】
【発明が解決しようとする課題】
【００１２】
しかしながら、上記のような配置であると、フリースペース１Ｄに一次送り用主幹ブレーカ７’が設けられてしまうので、シャーシ１が大形化してしまうという課題があった。
【００１３】
一方、フリースペース１Ｄに一次送り用主幹ブレーカ７’を設けると、フリースペース１Ｄにはそれ以外の機器を設けることができないという課題もあり、分電盤としての汎用性が低下する虞もあった。
【００１４】
本発明は、上記の点に鑑みなされたもので、一次送り用主幹ブレーカを用いてもケース体を大形化することがないとともに、汎用性を向上することができる分電盤を提供することを目的とする。
【課題を解決するための手段】
【００１５】
請求項１記載の分電盤は、ケース本体と；長手方向に対して垂直な方向に複数の分岐ブレーカ接続部が設けられた複数の導電バーからなり、ケース本体に設けられる導電バー群と；導電バー群の一方の端部に接続されたケース本体に設けられる主幹ブレーカと；導電バー群の分岐ブレーカ接続部の側方に配置されて接続された複数の分岐ブレーカと；長手方向に対して垂直な方向に複数の一次送り分岐ブレーカ配置部を具備し、導電バー群の他方の端部と対向するようにケース本体に設けられている一次送り導電バー群と；一次送り分岐ブレーカ配置部へ設けられる少なくとも３個以上の一次送り分岐ブレーカと；一次送り分岐ブレーカの器体よりも大きい器体からなり、かつ、一次送り導電バー郡の一方の一次送り分岐ブレーカ配置部に接続配置されるとともに、主幹ブレーカの一時側とも接続される一次送り用主幹ブレーカと；を具備することを特徴とする。
【００１６】
請求項１記載の発明は、まず、主幹ブレーカ、主幹ブレーカの二次側と一方の端部とが接続された導電バー郡及び導電バー郡の他方の端部と対向して一次送り導電バー郡がケース本体へ設けられる。そして、複数の分岐ブレーカが導電バー郡の分岐ブレーカ接続部へ適宜設けられる。
【００１７】
そして、一次送り導電バー郡の一次送り用主幹ブレーカを一次送り分岐ブレーカ配置部の一方側へ設けるとともに、残った一次送り分岐ブレーカ配置部へ少なくとも３個の一次送り分岐ブレーカが適宜設けられる。
【００１８】
本発明によれば、一次送り用主幹ブレーカが一次送り導電バー郡の一方の一次送り分岐ブレーカ配置部に接続配置されるとともに、主幹ブレーカの一時側とも接続されるので、ケース体を必要以上に大形化しなくても一次送り用主幹ブレーカを設けることができる。また、ケース体のフリースペースに一次送り用主幹ブレーカを設けなくてよく、フリースペースにその他機器を設けることができるので、一次送り用主幹ブレーカを有する分電盤であっても汎用性を高めることができる。
【発明の効果】
【００１９】
請求項１記載の発明によれば、一次送り用主幹ブレーカが一次送り導電バー郡の一方の一次送り分岐ブレーカ配置部に接続配置されるとともに、主幹ブレーカの一時側とも接続されるので、ケース体を必要以上に大形化しなくても一次送り用主幹ブレーカを設けることができる。また、ケース体のフリースペースに一次送り用主幹ブレーカを設けなくてよく、フリースペースにその他機器を設けることができるので、一次送り用主幹ブレーカを有する分電盤であっても汎用性を高めることができる。
【発明を実施するための最良の形態】
【００２０】
以下、本発明の一実施の形態を図面を参照して説明する。
【００２１】
図１は本実施形態の分電盤を示す正面図、図２は同じく図１の分電盤の右側面図、図３同じく図１の分電盤’の扉３を取り外した状態を示す正面図である。
【００２２】
分電盤１０は、ケース本体であるシャーシ１、カバー２、扉３、主幹ブレーカ４、分岐ブレーカ５、一次送り分岐ブレーカ６及び一次送り用主幹ブレーカ７等で構成されているものである。
【００２３】
ベース１は、合成樹脂を成形して形成されており、前面に開口した開口部を有した薄い箱状をなし、リミッタースペースであるリミッター用ノックアウト部（なお、リミッター用ノックアウト部は、リミッタ−の電流容量や電力会社によって異なる複数のサイズに合わせてノックアウトできるように構成されているものである。）、主幹ブレーカ４および分岐ブレーカ５を最大上下に２０個ずつ２列に配列することが可能であるような寸法に形成されている。
【００２４】
カバー２は、合成樹脂を成形して形成されており、ベース１の開口部を後述する主幹ブレーカ４および分岐ブレーカ５等の所要機器の操作部４１，５１を除いて被覆して、充電部が露出しないようにリミッターカバー２１、主幹ブレーカカバー２２、分岐ブレーカカバー２３が設けられている。
【００２５】
またカバー２は、ベース１の前面に着脱可能に配設されるが、分岐回路名またはその主な電気負荷名を表示できるような負荷表示部２４が形成されている。
【００２６】
そして、このシャーシ１、カバー２によって主幹ブレーカ用スペース１Ａ、分岐／一次送り分岐ブレーカ用スペース１Ｂ、リミッター用スペース１Ｃが設けられている。
【００２７】
扉３は、上辺の両側をカバー２に軸止して回動自在にカバー２の前面を覆うもので、カバー２を覆った状態では図示しない扉係止用係止部に係止する。
【００２８】
主幹ブレーカ４は、図３に示したように、前面に揺動操作によってスイッチの切替えを行う操作部４１が配設されている漏電ブレーカからなっている。
【００２９】
分岐ブレーカ５は、図３に示したように前面に揺動操作によってスイッチの切替えを行う操作部５１が配設されている配線用遮断器である。
【００３０】
また、分岐ブレーカ５は上下に５個ずつ２列で計１０個が配列されており、かつ、主幹ブレーカ４に並列に分岐接続されている。
【００３１】
一次送り分岐ブレーカ６は、図３に示したように前面に、揺動操作によってスイッチの切替えを行う操作部６１が配設されている配線用遮断器である。また、一次分岐ブレーカ６は、上側に１個、下側に３個で２列で計４個が配列されている。
【００３２】
一時送り用主幹ブレーカ７は、図３に示したように前面に揺動操作によってスイッチの切替えを行う操作部７１が配設されている漏電ブレーカからなっている。そして、この一次送り用主幹ブレーカ７は、一次送り分岐ブレーカ６の遮断能力を上回る特性であって、その器体７２は、幅が一次送り分岐ブレーカ６の器体６２よりも２モジュール以上の大きさであって、長さは一次送り分岐ブレーカ６の器体６２と略同等に形成されている。
【００３３】
ここで、シャーシ１に設けられる分電盤ユニット１１について詳述する。
【００３４】
図４は分電盤ユニットを示す一部省略正面図、図５は同じく図１の分電盤ユニットの接続関係をしめす簡易配線図である。なお図５の４６は３線、４７は２線を夫々示している。
【００３５】
分電盤ユニット１１は、図４に示すように、単相３線式配線に対応したもので、主幹ブレーカ４、１０個の分岐ブレーカ５、４個の一次送り分岐ブレーカ６および一次送り用主幹ブレーカ７等を具備し、これらが機器取付板１２に取り付けられ、これら機器取付板１２によってシャーシ１に取り付けられている。
【００３６】
機器取付板１２は、金属板製であり、一端側である左側には、主幹ブレーカ４が配設され、また、中央位置には分岐ブレーカを接続するための導電バー郡８、この導電バー郡８の上下の両側に沿って上下２段に複数の分岐ブレーカ５が並設されている。
【００３７】
さらにまた、他端側である右側には一次送り分岐ブレーカ６を接続するための一次送り導電バー郡９、この一次送り導電バー郡９の上下の両側に沿って上下二段に一次送り分岐ブレーカ６が並設されている。そして、一次送り導電バー郡９上側には一つの一次送り分岐ブレーカ６と並設するように一次送り用主幹ブレーカ７が接続配置されている。
【００３８】
また、機器取付板１２には、図４に示すような分岐ブレーカ取付部及び一次送り分岐ブレーカ取付部用の切り起こしが設けられてガイドレール１３が施されている。
【００３９】
主幹ブレーカ４は、図４に示すように、機器取付板１２に取り付けられる取付面と反対の前面に回路の遮断または接続を切り換える操作レバー４１を有し、主幹ブレーカ４の上部にはシャーシ１内に引き込まれる図示しない単相３線式の電源線が接続されて１００／２００Ｖの商用電源が供給される一次側端子部４２が設けられ、下部には導電バー郡に接続される二次側端子部４３が設けられている。
【００４０】
また、主幹ブレーカ４の二次側端子部４３と導電バー郡８とは、金属板製であり、対の電圧極の接続バー（図示しない）および中性極の接続バー（図示しない）によって電気的に接続されるようになっている。
【００４１】
また、主幹ブレーカ４の一次側端子部４２および二次側端子部４３と接続バーとは、絶縁カバー４６によって一体的に覆われており、作業者等が感電することを防いでいる。
【００４２】
分岐ブレーカ５は、機器取付板１２に取り付けられる取付面と反対の前面に回路の遮断または接続を切り換える操作レバー５１を有しており、分岐ブレーカ５の取付面には、分岐ブレーカ取付部である各ガイドレール１３に取り付けられるガイドレール取付部（図示しない）が設けられている。
【００４３】
また分岐ブレーカ５は、図示しないが、導電バー郡８側に臨む端部には導電バー郡８の２本の電圧極および中性極に接続される３つの電源側接続部が設けられ、これら３つの電源接続部のうちの２つの接続端子が負荷側の１００Ｖ配線か２００Ｖ配線かに応じて切換配置される。
【００４４】
また、分岐ブレーカ５の電源側接続部と反対の端部には負荷側接続部が設けられ、この負荷側接続部には負荷側に配線する電線を挿入接続する対の接続孔(図示しない)が形成され、各接続孔に対応して端子を開放させて電線の挿脱を可能とする解除レバーが配設されている。
【００４５】
一次送り分岐ブレーカ６は、上記の分岐ブレーカ５と略同様の構成を具備している。
【００４６】
一次送り用主幹ブレーカ７は、図４に示すように、機器取付板１２に取り付けられる取付面と反対の前面に回路の遮断または接続を切り換える操作レバー７１を有し、上部には主幹ブレーカ４の一次側端子部４２からの配線４４，４４，４４が接続される一次側端子部７３が設けられ、下部には一次送り導電バー郡９に接続される二次側端子部７４が設けられている。
【００４７】
導電バー郡８は、２本の電圧極および一本の中性極とが互いに重ならないような３層構造で形成されているものであり、その長手方向に対して垂直な方向であって、その両側に分岐ブレーカ接続部８７が設けられている。そして、一方の端部８２は図示しない接続バーによって主幹ブレーカ４の二次側端子部４３と電気的に接続されている。
【００４８】
一次送り導電バー郡９は、２本の電圧極および一本の中性極とが互いに重ならないような３層構造で形成されているものであり、その長手方向に対して垂直な方向であって、その両側に一次送り分岐ブレーカ接続部９７が設けられている。
【００４９】
そして、この導電バー郡８の他方端部８１と一次送り導電バー郡９の一方の端部９１とは分岐ブレーカ５の器体５２の１個分の空間を用いて図示しない絶縁ブロックによって支持され、かつ、互いに絶縁されるように設けられている。
【００５０】
なお、導電バー郡８及び一次送り導電バー郡９は、その上方に絶縁カバー８０が設けられており、この絶縁カバー８０により作業者が感電しないようになっているものである。
【００５１】
本実施形態によれば、一次送り主幹ブレーカ７の二次側端子部７４を一次送り導電バー群９の一方の一次送り分岐ブレーカ配置部９７に接続配置し、かつ、主幹ブレーカ一４の一次側端子部４２と配線４４、４４、４４を介して一次側端子部７３が接続されているので、シャーシ１を必要以上に大形化しなくても一次送り用主幹ブレーカ７を設けることができる。
【００５２】
要するに、図６に示した分電盤１０’であれば、分岐／一次送り分岐ブレーカ用スペース１Ｂは分岐／一次送り分岐ブレーカ８個分のスペースに加えて、フリースペース１Ｄが必要であるが、本実施形態の分電盤１０であれば、分岐／一次送り分岐ブレーカ用スペース１Ｂは分岐／一次送り分岐ブレーカ１０個分のスペースとなるが、フリースペース１Ｄを特別設ける必要がないので、ベース１は小形化することができる。
【００５３】
また、仮に分電盤１０の分岐／一次送り分岐ブレーカ用スペース１Ｂの側方にフリースペース１Ｄを設けた場合であってもこのフリースペース１Ｄにはその他機器を設けることができるので、一次送り用主幹ブレーカ７を有する分電盤１０であっても汎用性を高めることができる。
【００５４】
また、一次送り用主幹ブレーカ７は、器体７２の寸法が一次送り分岐ブレーカ６の幅の約２倍であって、一次送り分岐ブレーカ６の長さと略同等に形成されていることにより、一次送り分岐ブレーカ６の２個分のスペースで設けることができるので、専用の分岐ブレーカカバー２３を新たに用いる必要がなく、余分なコストがかからないとともに、意匠性を高めることができる。
【００５５】
なお、上記した３層構造の導電バー群８及び一次送り導電バー群９は本実施形態等に記載された構成に限られたものではなく、３層構造を有していれば特に限定されないのはいうまでもない。
【図面の簡単な説明】
【００５６】
【図１】本実施形態の分電盤を示す正面図
【図２】同じく図１の分電盤の右側面図
【図３】同じく図１の分電盤’の扉を取り外した状態を示す正面図
【図４】同じく図１の分電盤の分電盤ユニットを示す一部省略正面図
【図５】同じく図１の分電盤の接続関係を示す簡易配線図
【図６】従来の一例の分電盤の扉を取り外した状態を示す正面図
【符号の説明】
【００５７】
１・・・ケース本体であるシャーシ、４・・・主幹ブレーカ、５・・・分岐ブレーカ、６・・・一次送り分岐ブレーカ、７・・・一次送り用主幹ブレーカ、８・・・導電バー郡、９・・・一次送り導電バー郡
【図１】
2005110433.tif 000003
【図２】
2005110433.tif 000004
【図３】
2005110433.tif 000005
【図４】
2005110433.tif 000006
【図５】
2005110433.tif 000007
【図６】
2005110433.tif 000008